(57)【特許請求の範囲】
【請求項１】
放送波を受信し番組の映像信号を録画再生するシステムであって、
前記番組の映像信号を出力する第１のチューナと、前記第１のチューナが出力する前記番組の映像信号を録画する第１の録画部と、リモート追いかけ再生要求を受けて録画を停止し、前記第１の録画部で録画した前記番組の映像信号を送信する第１の送受信部を備えるリモートレコーダと、
前記番組の映像信号を出力する第２のチューナと、前記第２のチューナが出力する前記番組の映像信号を録画する第２の録画部と、前記リモート追いかけ再生要求を前記リモートレコーダに対して送信し、前記番組の以前の場面の映像信号を前記リモートレコーダから受信する第２の送受信部と、前記第２のチューナが出力する前記番組の映像信号と、前記第２の録画部で録画した前記番組の映像信号と、前記第２の送受信部で受信した前記映像信号の再生を制御する再生制御部を備えるローカルレコーダと、
からなり、
前記リモート追いかけ再生要求は、前記番組のチャネル番号と時間の情報を含む
録画再生システム。
【請求項２】
請求項１記載の録画再生システムであって、
前記ローカルレコーダの前記第２の送受信部は、前記リモート追いかけ再生要求に基づき、前記リモートレコーダが前記第１の録画部に録画した前記映像信号の送信を要求する録画映像信号送信要求を、前記リモートレコーダに対して送信する
録画再生システム。
【請求項３】
請求項２記載の録画再生システムであって、
前記リモートレコーダの前記第１の送受信部は、前記録画映像信号送信要求に対応し、前記第１の録画部に録画した前記映像信号を含む録画映像信号応答を、前記ローカルレコーダに送信する
録画再生システム。
【請求項４】
請求項３記載の録画再生システムであって、
前記リモートレコーダは、前記映像信号を前記録画映像信号応答として送信する際、送信する前記映像信号を倍速再生データに変換して送信する
録画再生システム。
【請求項５】
放送波を受信し番組の映像信号を録画再生するローカルレコーダにおける録画再生方法であって、
前記ローカルレコーダは、
ネットワークを介して接続されるリモートレコーダにリモート追いかけ再生要求を送信し、前記リモートレコーダから、前記リモートレコーダが録画した前記番組の現在放送されている場面より以前の場面の映像信号を受信し、
受信した前記番組の映像信号を、本来の再生速度よりも高速に再生しながら、
前記ローカルレコーダのチューナで受信した前記番組の現在放送されている場面の映像信号を、前記ローカルレコーダの記憶部に録画し、
前記リモートレコーダは、前記ローカルレコーダからの前記リモート追いかけ再生要求を受信し、録画を停止し、
前記リモートレコーダは、前記リモートレコーダが録画した前記番組の映像信号を前記ローカルレコーダに送信する際、送信する前記映像信号を倍速再生データに変換して送信する
録画再生方法。
【請求項６】
請求項５記載の録画再生方法であって、
前記リモートレコーダからの前記番組の映像信号の受信と再生が、前記ローカルレコーダの前記チューナで受信し、前記記憶部に録画した前記番組の映像信号の場面まで到達した場合、前記リモートレコーダからの前記番組の映像信号の受信と再生を停止し、前記記憶部に録画した前記番組の映像信号の再生を開始する
録画再生方法。
【請求項７】
請求項６記載の録画再生方法であって、
前記ローカルレコーダの前記記憶部に録画した前記番組の映像信号の再生が、前記ローカルレコーダの前記チューナで受信している場面まで到達した場合、前記ローカルレコーダのチューナで受信している前記番組の映像信号の再生を開始する
録画再生方法。
【請求項８】
請求項６記載の録画再生方法であって、
前記ローカルレコーダの前記記憶部に録画した前記番組の映像信号の再生を倍速再生で行う
録画再生方法。
【請求項９】
放送波を受信し番組の映像信号を録画するリモートレコーダであって、
前記番組の映像信号を出力するチューナと、
前記チューナが出力する前記番組の映像信号を録画し、ネットワークを介して接続されるローカルレコーダからリモート追いかけ再生要求を受けて録画を停止する録画部と、
前記ローカルレコーダからの前記リモート追いかけ再生要求を受け、前記録画部が現在録画している前記番組の映像信号の場面よりも以前の場面の前記映像信号を、前記ローカルレコーダに送信する送受信部と
を備え、
前記送受信部は、前記ローカルレコーダから要求された時刻の場面の前記番組の映像信号
を送信する
リモートレコーダ。
【請求項１０】
請求項９記載のリモートレコーダであって、
前記送受信部は、前記ローカルレコーダが前記番組の映像信号の録画を開始した時刻の場面まで、前記番組の映像信号を前記ローカルレコーダへ送信すると、送信を停止する
リモートレコーダ。
【発明の詳細な説明】
【技術分野】
【０００１】
本発明は、レコーダに関し、特に放送中の番組を録画しながら、現在放送中の場面より以前の録画済場面を再生する追いかけ再生機能を、ネットワークを介して行う技術に関する。
【背景技術】
【０００２】
ハードディスクレコーダ、ＤＶＤレコーダ、および録画機能付きテレビなどのレコーダは、放送番組を録画し、再生する機能を持つ。また一部のレコーダは追いかけ再生機能を備えている。追いかけ再生機能とは、現在放送中の番組を録画しながら、それよりも以前の録画済みの場面を再生する機能である。この機能により、視聴者は番組の放送中に視聴を中断した場合にも、現在放送中の場面を録画しながら、中断した場面から番組の視聴を再開することが出来、視聴者は番組内容を見逃さずに視聴することができる。
【０００３】
さらに、特許文献１によれば、録画済みの番組を元の再生速度よりも速く再生し、放送中の場面に追いついたら、放送中の映像に切り替えることが可能である。
【０００４】
【特許文献１】特開２００１−２１６７３１号公報
【発明の開示】
【発明が解決しようとする課題】
【０００５】
しかしながら、上記の従来技術では、レコーダで録画した映像の追いかけ再生は、映像を録画したレコーダでなければできなかった。このため、ユーザは追いかけ再生の映像を視聴するために、そのレコーダを使用し続ける必要があり、レコーダの設置場所からの移動の制約を受けた。例えば、リビングのレコーダで行っていた追いかけ再生の続きを寝室のレコーダで行うということができなかった。
【０００６】
本発明の目的は、リビングのレコーダで行っていた追いかけ再生の続きを別室のレコーダ等で行うことができればユーザの利便性が増すことに着目し、リモートレコーダで行っている追いかけ再生の続きを、ネットワークに接続したローカルレコーダで行える録画再生システム、録画再生方法、及びレコーダを提供することである。
【課題を解決するための手段】
【０００７】
上記の目的を達成するために、本発明の録画再生システムは、放送波を受信し番組の映像信号を出力するチューナと、このチューナが出力する番組の映像信号を録画する録画部と、この録画部で録画した番組の映像信号をローカルレコーダへ送信する送信部を備えるリモートレコーダと、放送波を受信し番組の映像信号を出力するチューナと、このチューナが出力する番組の映像信号を録画する録画部と、同番組の以前の場面の映像信号をリモートレコーダから受信する受信部と、このチューナが出力する映像信号と該録画部で録画した映像信号と受信部で受信した映像信号を再生する再生部を備えるローカルレコーダとで構成される。
【０００８】
また、本発明の録画再生方法は、ローカルレコーダからローカルレコーダが録画した番組の映像信号を受信し、この映像信号を本来の再生速度よりも高速に再生し、ローカルレコーダ自身のチューナで受信した同番組の映像信号を内部の記憶部であるストレージに録画する。
【０００９】
また、本発明の録画再生方法のローカルレコーダが録画した番組の映像信号の受信と再生は、自身のチューナで受信し、ストレージに録画した場面まで行ったら、ローカルレコーダが録画した番組の映像信号の受信と再生を停止し、チューナで受信しストレージに録画した場面の映像信号の再生を開始する。
【００１０】
また、本発明の録画再生方法のローカルレコーダが録画した番組の映像信号の受信と再生は、自身のチューナで受信している場面まで行ったら、ローカルレコーダが録画した番組の映像信号の受信と再生を停止し、チューナで受信している場面の映像信号を再生を開始する。
【００１１】
更に、本発明のリモートレコーダは、番組の映像信号を録画する録画部と、該録画部で録画した番組の映像信号をローカルレコーダへ送信する送信部を備えるよう構成する。
【００１２】
また、本発明のリモートレコーダの送信部は、前記録画部が現在記録している場面よりも以前の場面の映像信号を送信する。
【００１３】
また、本発明のリモートレコーダの送信部は、ローカルレコーダから要求された時刻の場面の映像信号を送信する。
【００１４】
また、本発明のリモートレコーダの録画部は、前記送信部が録画部で録画した番組の映像信号をローカルレコーダへ送信したときに、同番組の映像信号の録画を停止する。
【００１５】
また、本発明のリモートレコーダの送信部は、ローカルレコーダが番組を録画開始した時刻の場面まで、同番組の映像信号をローカルレコーダへ送信すると、同番組の映像信号の送信を停止する。
【００１６】
また、本発明のリモートレコーダの送信部は、ローカルレコーダが番組を録画開始した時刻の場面まで、同番組の映像信号をローカルレコーダへ送信すると、リモートレコーダの電源をＯＦＦにする。
【００１７】
また更に、本発明のローカルレコーダは、放送波を受信し番組の映像信号を出力するチューナと、該チューナが出力する番組の映像信号を録画する録画部と、同番組の以前の場面の映像信号をリモートレコーダから受信する受信部と、該チューナが出力する映像信号と該録画部で録画した映像信号と該受信部で受信した映像信号を再生する部を備えるよう構成される。
【００１８】
また、本発明のローカルレコーダの受信部は、任意の時刻を指定して場面の映像信号をリモートレコーダから受信する。
【００１９】
また、本発明のローカルレコーダの受信部は、録画部が番組を録画開始した時刻の場面まで、同番組の映像信号をリモートレコーダから受信すると、同番組の映像信号の受信を停止する。
【００２０】
また、本発明のローカルレコーダの受信部は、リモートレコーダから映像信号の受信を停止するときに、リモートレコーダへ番組の映像信号の受信の停止を通知する。
【００２１】
更にまた、本発明のリモートレコーダの送信部は、映像信号を送信しているすべてのローカルレコーダが番組の映像信号の受信を停止したことを検知すると、リモートレコーダの電源をＯＦＦにする。
また、本発明のリモートレコーダの送信部は、映像信号を送信しているすべてのローカルレコーダから番組の映像信号の受信の停止の通知を受けると、リモートレコーダの電源をＯＦＦにする。
【発明の効果】
【００２２】
本発明により、ネットワークに接続したリモートレコーダから録画した映像信号を受信し、ローカルレコーダで追いかけ再生することができる。
【００２３】
さらに、ネットワーク接続したリモートレコーダで録画した映像信号を追いかけ再生しながら、ローカルレコーダで映像信号を録画し、ローカルレコーダで録画済の映像信号の放送時刻までリモートレコーダで録画した映像信号を追いかけ再生したら、ローカルレコーダで録画した映像信号で追いかけ再生の続きを行い、リモートレコーダから映像信号の受信を停止することができる。
【００２４】
さらに、リモートレコーダから映像信号の受信を停止したら、リモートレコーダの電源をＯＦＦにすることができる。
【発明を実施するための最良の形態】
【００２５】
以下、本発明の実施例を図面を用いて説明する。
【実施例１】
【００２６】
図１に第一の実施例の録画再生システムのシステム構成図を示す。同図を用いて、ローカルレコーダ１００、リモートレコーダ１１０の機能構成とその機能について説明する。
【００２７】
＝＝ローカルレコーダ１００＝＝
ローカルレコーダ１００は録画再生システムを構成するレコーダである。ローカルレコーダ１００は、ネットワーク・インタフェース・カード（Network Interface Card、以下、ＮＩＣ）１０１とチューナ１０２と転送制御部１０３と録画制御部１０４とストレージ１０５と再生制御部１０６と映像出力部１０７とで構成する。チューナ１０２はアンテナ１２０に接続する。ＮＩＣ１０１はネットワーク１４０に接続され、送受信部を構成する。映像出力部１０７は表示装置１３０に接続する。なお、送受信部は、送信機能のみ、受信機能のみ、或いは送受信機能を有するもの全ての総称として使用する点に留意された。また、図１において表示装置１３０はレコーダの外付け装置として図示したが、レコーダ自身が表示部を含む構成のものであっても良いことは言うまでもない。
【００２８】
ＮＩＣ１０１は、ネットワーク１４０に接続し、リモートレコーダ１１０から映像信号１５０を受信し、転送制御部１０３へ映像信号１５０を出力する。よって、このＮＩＣ１０１は、映像信号１５０を受信する送受信部として機能する。
【００２９】
チューナ１０２は、アンテナ１２０を介して放送波から映像信号１５０を受信し、受信した映像信号１５０を録画制御部１０４または、再生制御部１０６へ出力する。
【００３０】
転送制御部１０３は、ＮＩＣ１０１から映像信号１５０を入力し、再生制御部１０６または、ストレージ１０５へ映像信号１５０を出力する。
【００３１】
録画制御部１０４は、チューナ１０２から映像信号１５０を入力し、ストレージ１０５へ映像信号１５０を出力する。
【００３２】
記憶部であるストレージ１０５は、転送制御部１０３または、録画制御部１０４から映像信号１５０を入力し、記録し、記録した映像信号１５０を再生制御部１０６へ出力する。
【００３３】
再生制御部１０６は、転送制御部１０３または、ストレージ１０５または、チューナ１０２から映像信号１５０を入力し、映像出力部１０７へ映像信号１５０を出力する。
【００３４】
映像出力部１０７は、再生制御部１０６から映像信号１５０を入力し、表示装置１３０へ映像信号１５０を出力する。
【００３５】
＝＝外部装置＝＝
表示装置１３０は、ローカルレコーダ１００が出力した映像信号１５０を表示する。
【００３６】
アンテナ１２０は、放送波を受信し、チューナ１０２へ入力する。ネットワーク１４０は、ローカルレコーダ１００とリモートレコーダ１１０を接続し、リモートレコーダ１１０が送信した映像信号１５０を、ローカルレコーダ１００へ伝送する。なお、チューナ１０２とアンテナ１２０は、レコーダの外付け装置として構成される場合であっても良い。
【００３７】
＝＝リモートレコーダ１１０＝＝
リモートレコーダ１１０は、チューナ１０２と録画制御部１０４とストレージ１０５と転送制御部１０３とＮＩＣ１０１と電源制御部１０８とで構成する。チューナ１０２はアンテナ１２０に接続する。ＮＩＣ１０１はネットワーク１４０に接続され、送受信部を構成する。
【００３８】
チューナ１０２は、アンテナ１２０を介して放送波から映像信号１５０を受信し、受信した映像信号１５０を録画制御部１０４または、転送制御部１０３へ出力する。
【００３９】
録画制御部１０４は、チューナ１０２から映像信号１５０を入力し、ストレージ１０５へ映像信号１５０を出力する。
【００４０】
記憶部であるストレージ１０５は、録画制御部１０４から映像信号１５０を入力し、記録し、記録した映像信号１５０を転送制御部１０３へ出力する。
【００４１】
転送制御部１０３は、チューナ１０２または、ストレージ１０５から映像信号１５０を入力し、ＮＩＣ１０１へ映像信号１５０を出力する。
【００４２】
ＮＩＣ１０１は、ネットワーク１４０に接続し、転送制御部１０３から映像信号１５０を入力し、ローカルレコーダ１００へ映像信号１５０を送信する。よって、このＮＩＣ１０１は映像信号１５０を送信する送受信部として機能する。
【００４３】
電源制御部１０８は、リモートレコーダ１１０の電源をオンあるいはオフにする。
【００４４】
＝＝放送時刻の付与＝＝
録画制御部１０４は、ストレージ１０５に映像信号１５０を記録するときに、映像信号１５０の録画開始時刻と、各場面の経過時間を含めて記録する。これにより、映像信号１５０を再生するときに、映像信号１５０の各場面の放送時刻を知ることができる
＝＝まとめ＝＝
ローカルレコーダ１００、およびリモートレコーダ１１０の各構成要素はハードウェアで実現されても良いし、ローカルレコーダ１００、およびリモートレコーダ１１０が備える中央処理部（Central Processing Unit、ＣＰＵ）上で動作するソフトウェアとして実現されても良い。リモートレコーダ１１０は、ローカルレコーダ１００の機能の一部あるいは全部を備えても良い。ローカルレコーダ１００は、リモートレコーダ１１０の機能の一部あるいは全部を備えても良い。あとで、ローカルレコーダ１００、リモートレコーダ１１０の一具体的構成を図面を用いて説明する。上述の記載から明らかなように、ローカルレコーダ１００、リモートレコーダ１１０に共通する機能ブロックに対し、同一の番号を付した。次に、ローカルレコーダ１００、リモートレコーダ１１０それぞれの機能について説明する。
【００４５】
＝＝ローカルレコーダ１００の機能＝＝
ローカルレコーダ１００は、録画機能、再生機能、ネットワーク受信機能、追いかけ再生機能、及び本実施例のシステム特有のリモート追いかけ再生機能を持つ。
【００４６】
＝＝ローカルレコーダ１００の録画機能＝＝
ローカルレコーダ１００の録画機能について説明する。ローカルレコーダ１００のチューナ１０２はアンテナ１２０を介して放送波から映像信号１５０を受信し、ローカルレコーダ１００の録画制御部１０４へ出力する。ローカルレコーダ１００の録画制御部１０４は入力された映像信号１５０をローカルレコーダ１００のストレージ１０５へ出力する。ローカルレコーダ１００のストレージ１０５は入力された映像信号１５０を記録する。
【００４７】
＝＝ローカルレコーダ１００の映像信号１５０と放送時刻の対応＝＝
ローカルレコーダ１００の録画制御部１０４は映像信号１５０と共に映像信号１５０が放送された時刻と映像信号１５０を記録開始してからの経過時間をストレージ１０５へ記録する。これにより、ローカルレコーダ１００はローカルレコーダ１００のストレージ１０５に記録された映像信号１５０の各場面が放送された時刻を知ることができる。さらに、放送された時刻を指定して映像信号１５０の特定の場面から再生することができる。
【００４８】
＝＝ローカルレコーダ１００の再生機能＝＝
ローカルレコーダ１００の再生機能について説明する。ローカルレコーダ１００の再生制御部１０６は、転送制御部１０３が出力する映像信号１５０と、ストレージ１０５が出力する映像信号１５０と、録画制御部１０４が出力する映像信号１５０から選択して映像出力部１０７へ出力する。
【００４９】
＝＝ローカルレコーダ１００のネットワーク受信機能＝＝
ローカルレコーダ１００のネットワーク受信機能について説明する。ローカルレコーダ１００の転送制御部１０３はリモートレコーダ１１０の転送制御部１０３と通信し、リモートレコーダ１１０が録画した映像信号１５０をリモートレコーダ１１０から受信する。このとき、ローカルレコーダ１００の転送制御部１０３はリモートレコーダ１１０が転送する録画の放送時刻を指定し、指定した放送時刻からの映像信号１５０を受信する。
【００５０】
＝＝ローカルレコーダ１００の追いかけ再生機能＝＝
ローカルレコーダ１００の追いかけ再生機能について説明する。ローカルレコーダ１００で映像信号１５０を録画しながら、録画した映像信号１５０を再生する。このとき、再生される映像信号１５０は現在放送されている場面より以前の場面の映像信号１５０である。Ｙ倍速再生（Ｙは２以上の自然数など）により、録画している映像信号１５０よりも速い速度で再生すれば、再生している場面の放送時刻を現在の時刻に近づけることができる。これを追いかけ再生と呼ぶ。
【００５１】
＝＝リモートレコーダ１１０の機能＝＝
リモートレコーダ１１０は、録画機能、ネットワーク送信機能、リモート追いかけ再生機能を持つ。
【００５２】
＝＝リモートレコーダ１１０の録画機能＝＝
リモートレコーダ１１０の録画機能について説明する。リモートレコーダ１１０のチューナ１０２はアンテナ１２０を介して放送波から映像信号１５０を受信し、リモートレコーダ１１０の録画制御部１０４へ出力する。リモートレコーダ１１０の録画制御部１０４は入力された映像信号１５０をリモートレコーダ１１０のストレージ１０５へ出力する。リモートレコーダ１１０のストレージ１０５は入力された映像信号１５０を記録する。
【００５３】
＝＝リモートレコーダ１１０の映像信号１５０と放送時刻の対応＝＝
リモートレコーダ１１０の録画制御部１０４は映像信号１５０と共に映像信号１５０が放送された時刻を映像信号１５０を記録開始してからの経過時間をストレージ１０５へ記録する。これにより、リモートレコーダ１１０はリモートレコーダ１１０のストレージ１０５に記録された映像信号１５０の各場面が放送された時刻を知ることができる。さらに、放送された時刻を指定して映像信号１５０の場面を再生することができる。
【００５４】
＝＝リモートレコーダ１１０のネットワーク送信機能＝＝
リモートレコーダ１１０のネットワーク送信機能について説明する。リモートレコーダ１１０の転送制御部１０３はローカルレコーダ１００の転送制御部１０３と通信し、リモートレコーダ１１０が録画した映像信号１５０をローカルレコーダ１００へ送信する。このとき、ローカルレコーダ１００の転送制御部１０３が送信する映像信号１５０の放送時刻を指定した場合は、指定された放送時刻から映像信号１５０を送信する。
【００５５】
＝＝リモート追いかけ再生機能（ローカル録画、リモート送信）＝＝
続いて、本実施例におけるリモート追いかけ再生機能について説明する。リモートレコーダ１１０はローカルレコーダ１００によって指定された放送時刻からの映像信号１５０をローカルレコーダ１００へ送信する。このとき、送信される映像信号１５０は現在放送されている場面より以前の場面の映像信号１５０である。ローカルレコーダ１００で映像信号１５０を録画しながら、リモートレコーダ１１０から映像信号１５０を受信し、再生する。これにより、再生している映像信号の場面の時刻を、録画している映像信号の開始時刻に近づけることができる。これをリモート追いかけ再生と呼ぶ。
【００５６】
＝＝リモート追いかけ再生のタイムチャート＝＝
次に、本実施例におけるリモート追いかけ再生の処理フローについて説明する。図２はリモート追いかけ再生の処理フローを説明するためのタイムチャートである。
【００５７】
時刻Ｔ１：リモートレコーダ１１０で録画を開始すると、リモートレコーダ１１０のチューナ１０２はアンテナ１２０を介して放送波から映像信号１５０を受信し、リモートレコーダ１１０の録画制御部１０４へ出力する。リモートレコーダ１１０の録画制御部１０４は入力された映像信号１５０をリモートレコーダ１１０のストレージ１０５へ出力する。リモートレコーダ１１０のストレージ１０５は入力された映像信号１５０の記録を開始する。
【００５８】
時刻Ｔ２：ローカルレコーダ１００でリモート追いかけ再生を開始すると、ローカルレコーダ１００のチューナ１０２はアンテナ１２０を介して放送波から映像信号１５０を受信し、ローカルレコーダ１００の録画制御部１０４へ出力する。ローカルレコーダ１００の録画制御部１０４は入力された映像信号１５０をローカルレコーダ１００のストレージ１０５へ出力する。ローカルレコーダ１００のストレージ１０５は入力された映像信号１５０の記録を開始する。さらに、ローカルレコーダ１００の転送制御部１０３はリモートレコーダ１１０の転送制御部１０３へリモート追いかけ再生要求４０１を送信する。
【００５９】
時刻Ｔ３：リモートレコーダ１１０の転送制御部１０３がローカルレコーダ１００の転送制御部１０３からのリモート追いかけ再生要求４０１を受信すると、リモートレコーダ１１０のストレージ１０５は記録した映像信号１５０をリモートレコーダ１１０の転送制御部１０３へ出力する。リモートレコーダ１１０の転送制御部１０３は入力された映像信号１５０をリモートレコーダ１１０のＮＩＣ１０１へ出力する。この出力の際、好適には図２に示すように映像信号１５０をＸ倍速再生データ（Ｘは２以上の自然数など）に変換、圧縮した映像信号とする。これによって、ローカルレコーダ１００側で倍速変換、圧縮するよりも、ネットワーク１４０を介して送信される映像信号１５０の容量を低減できるからである。リモートレコーダ１１０のＮＩＣ１０１は入力された映像信号１５０をローカルレコーダ１００へ送信する。このときリモートレコーダ１１０での録画を停止しても良い。リモートレコーダ１１０は時刻Ｔ３を記録する。
【００６０】
時刻Ｔ４：ローカルレコーダ１００のＮＩＣ１０１がリモートレコーダ１１０から映像信号１５０を受信すると、ローカルレコーダ１００のＮＩＣ１０１はローカルレコーダ１００の転送制御部１０３へ映像信号１５０を出力する。ローカルレコーダ１００の転送制御部１０３は入力された映像信号１５０をローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。以上がリモート追いかけ再生(A)である。
【００６１】
時刻Ｔ５：リモートレコーダ１１０で時刻Ｔ１から時刻Ｔ３までに録画した映像信号１５０をすべてローカルレコーダ１００へ送信すると、リモートレコーダ１１０はローカルレコーダ１００への映像信号１５０の送信を停止する。このときリモートレコーダ１１０の電源制御部１０８は、リモートレコーダ１１０の電源をオフにしても良い。
【００６２】
時刻Ｔ６：ローカルレコーダ１００でリモート追いかけ再生を開始した時刻Ｔ２に、リモートレコーダ１１０から受信する映像信号１５０の録画時刻が達したら、ローカルレコーダ１００のストレージ１０５は時刻Ｔ２から録画している映像信号１５０をローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。以上がローカル追いかけ再生(B)である。
【００６３】
時刻Ｔ７：ローカルレコーダ１００で時刻Ｔ６から表示装置１３０へ出力している映像信号１５０の録画時刻が、現在の時刻に規定の時間以内に近づいたら、ローカルレコーダ１００のチューナ１０２はアンテナ１２０を介して放送波から映像信号１５０を受信し、ローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。以上がライブ再生(C)である。このときローカルレコーダ１００での録画を停止しても良い。規定の時間とは、ローカルレコーダ１００の再生制御部１０６にローカルレコーダ１００のチューナ１０２から入力される映像信号１５０と、ローカルレコーダ１００のチューナ１０２が出力した映像信号１５０をストレージ１０５に記録し出力するまでの時間との差から決定する。
【００６４】
＝＝リモート追いかけ再生のフローチャート＝＝
図３は本実施例のシステムにおけるリモート追いかけ再生の処理フローを説明するためのフローチャートである。図４は本実施例のシステムの通信で使用するデータ構造を示す図である。
【００６５】
＝＝リモート追いかけ再生フローチャート（ローカルレコーダ１００）＝＝
以下、リモート追いかけ再生におけるローカルレコーダ１００の処理について説明する。
【００６６】
図３において、ステップＳ１０１ではローカルレコーダ１００はリモート追いかけ再生要求４０１をリモートレコーダ１１０へ送信する。リモート追いかけ再生要求４０１を行いステップＳ１０２へ処理を進める。
【００６７】
ステップＳ１０２ではローカルレコーダ１００は録画を開始する。ローカルレコーダ１００の録画は次のように行う。ローカルレコーダ１００のチューナ１０２はアンテナ１２０を介して放送波から映像信号１５０を受信し、ローカルレコーダ１００の録画制御部１０４へ出力する。ローカルレコーダ１００の録画制御部１０４は入力された映像信号１５０をローカルレコーダ１００のストレージ１０５へ出力する。ローカルレコーダ１００のストレージ１０５は入力された映像信号１５０を記録する。ローカルレコーダ１００は以上の録画の動作を継続したままステップＳ１０３へ処理を進める。
【００６８】
ステップＳ１０３ではローカルレコーダ１００はリモートレコーダ１１０から映像信号１５０の受信を行う。リモートレコーダ１１０からの映像信号１５０の受信にはＨＴＴＰ（Hypertext Transfer Protocol）プロトコルを使用する。ＨＴＴＰプロトコルはデジタルコンテンツの家庭内ネットワークでの利用方法の規格化団体であるＤＬＮＡ（Digital Living Network Alliance）の定めるガイドラインで、デジタルコンテンツの転送プロトコルに使用されている。
【００６９】
ステップＳ１０４ではローカルレコーダ１００はステップ１０３でリモートレコーダ１１０から受信した映像信号１５０を表示する。リモートレコーダ１１０から受信した映像信号１５０の表示は次のように行う。ローカルレコーダ１００のＮＩＣ１０１がリモートレコーダ１１０から映像信号１５０を受信すると、ローカルレコーダ１００のＮＩＣ１０１はローカルレコーダ１００の転送制御部１０３へ映像信号１５０を出力する。ローカルレコーダ１００の転送制御部１０３は入力された映像信号１５０をローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。ローカルレコーダ１００は以上の処理を行いステップＳ１０５へ処理を進める。
【００７０】
ステップＳ１０５ではローカルレコーダ１００は受信完了かどうかを判断し、受信が完了していなければステップＳ１０３へ、受信が完了していればリモートレコーダ１１０とのＩＰコネクションを切断しステップＳ１０６へ処理を進める。リモートレコーダ１１０から送信した映像情報の放送時刻がＳ１０２で録画を開始した時刻を越えたら受信完了と判断する。これは、Ｓ１０２で録画を開始した時刻以降の映像信号１５０はリモートレコーダ１１０から受信しなくてもローカルレコーダ１００のストレージ１０５に録画されているためローカルレコーダ１００で再生することができるためである。
【００７１】
ステップＳ１０６ではローカルレコーダ１００はローカル追いかけ再生を行う。ローカル追いかけ再生は次のように行う。ローカルレコーダ１００のストレージ１０５はステップＳ１０２から録画している映像信号１５０をローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。ローカルレコーダ１００は以上の処理を行いステップＳ１０７へ処理を進める。ローカル追いかけ再生は放送された映像信号１５０の速度よりも速く映像を再生することにより、再生映像の録画時刻を徐々に実時刻に近づけることができる。
【００７２】
ステップＳ１０７ではローカルレコーダ１００はローカル追いかけ再生が放送に追いついたかどうかを判断し、放送に追いついていなければステップＳ１０６へ、放送に追いついていればステップＳ１０８へ処理を進める。ローカル追いかけ再生が放送に追いついたかどうかは、ローカル追いかけ再生で再生している映像信号１５０の録画時刻と実時刻との差が設定時間以下になった場合に追いついたと判断する。設定時間とは例えば１秒である。ステップＳ１０２での放送波を受信してストレージ１０５に記録するまでの時間を考慮して任意の時間を設定することができる。
【００７３】
ステップＳ１０８では放送中の映像信号１５０を表示する。放送中の映像信号１５０を表示は次のように行う。ローカルレコーダ１００のチューナ１０２はアンテナ１２０を介して放送波から映像信号１５０を受信し、ローカルレコーダ１００の再生制御部１０６へ出力する。ローカルレコーダ１００の再生制御部１０６は入力された映像信号１５０をローカルレコーダ１００の映像出力部１０７へ出力する。ローカルレコーダ１００の映像出力部１０７は入力された映像信号１５０を表示装置１３０へ出力する。ローカルレコーダ１００は以上の放送中の映像信号１５０を表示しながら、ステップＳ１０９へ処理を進める。
【００７４】
ステップＳ１０９ではステップＳ１０２で開始した録画を停止する。
【００７５】
以上で、ローカルレコーダ１００のリモート追いかけ再生の処理を終了する。
【００７６】
但し、ステップＳ１０３では映像信号１５０の転送にはＨＴＴＰプロトコルを使用したがＦＴＰ（File Transfer Protocol）プロトコル、ＲＴＰ（Real-time Transfer Protocol）プロトコル等の他の転送プロトコルを使用しても良い。さらに、ステップＳ１０５ではローカルレコーダ１００はＩＰ（Internet Protocol）コネクションの切断して受信完了をリモートレコーダ１１０へ通知したが、ＩＰコネクションを切断せずに、ＨＴＴＰプロトコル等の他の通信プロトコルを使用してリモートレコーダ１１０へ受信完了を通知しても良い。さらに、ステップＳ１０９ではステップＳ１０２で開始した録画を停止したが、停止せずに録画を継続しても良い。
【００７７】
＝＝リモート追いかけ再生フローチャート（リモートレコーダ１１０）＝＝
以下、リモート追いかけ再生におけるリモートレコーダ１１０の処理について説明する。
【００７８】
図３において、ステップＳ２０１ではリモートレコーダ１１０は開始すると録画要求待ち状態になり、録画要求が行われるのを待機する。録画要求はユーザ操作によって行われる。録画要求を受け付けるとステップＳ２０２へ処理を進める。
【００７９】
ステップＳ２０２ではリモートレコーダ１１０は録画を開始する。リモートレコーダ１１０の録画は次のように行われる。リモートレコーダ１１０のチューナ１０２はアンテナ１２０を介して放送波から映像信号１５０を受信し、リモートレコーダ１１０の録画制御部１０４へ出力する。リモートレコーダ１１０の録画制御部１０４は入力された映像信号１５０をリモートレコーダ１１０のストレージ１０５へ出力する。リモートレコーダ１１０のストレージ１０５は入力された映像信号１５０を記録する。リモートレコーダ１１０は以上の録画の動作を継続したままステップＳ２０３へ処理を進める。
【００８０】
ステップＳ２０３ではリモートレコーダ１１０はリモート追いかけ再生要求４０１待ち状態になり、リモート追いかけ再生要求４０１が行われるのを待機する。リモート追いかけ再生要求４０１はローカルレコーダ１００によって行われる。リモート追いかけ再生要求４０１を受けるとステップＳ２０４へ処理を進める。
【００８１】
ステップＳ２０４ではリモートレコーダ１１０は録画を停止する。ステップＳ２０５へ処理を進める。
【００８２】
ステップＳ２０５ではリモートレコーダ１１０は録画した映像信号１５０をローカルレコーダ１００へ送信する。なお、ローカルレコーダ１００への映像信号１５０の送信には上述したように、ＨＴＴＰプロトコルを使用する。また、リモートレコーダ１１０は録画した映像信号１５０を元の再生速度より速い送信速度で送信することができる。この送信速度はリモートレコーダ１１０が送信し、ローカルレコーダ１００が十分に受信できる速度であっても良い。さらに、この送信速度はローカルレコーダ１００がリモートレコーダ１１０へ指定してもよいし、リモートレコーダ１１０がローカルレコーダ１００へ指定しても良い。ローカルレコーダ１００は映像信号１５０を再生速度より速い送信速度で受信した場合、ストレージ１０５に映像信号１５０を保存する。
【００８３】
次いで、ステップＳ２０６へ処理を進める。ステップＳ２０６ではリモートレコーダ１１０は送信完了かどうかを判断し、送信が完了していなければステップＳ２０５へ、送信が完了していればステップＳ２０７へ処理を進める。送信完了はローカルレコーダ１００とのＩＰコネクションの切断により判断する。
【００８４】
ステップＳ２０７ではリモートレコーダ１１０は電源をＯＦＦにする。
【００８５】
以上で、リモートレコーダ１１０のリモート追いかけ再生の処理を終了する。
【００８６】
但し、ステップＳ２０１では録画要求はユーザ操作により行われたが、ローカルレコーダ１００からの要求により行われても良い。さらに、ステップＳ２０４では録画を停止したが、録画を停止せずに継続して録画しても良い。ステップＳ２０５では映像信号１５０の転送にはＨＴＴＰプロトコルを使用したがＦＴＰプロトコル、ＲＴＰプロトコル等の他の転送プロトコルを使用しても良い。さらに、ステップ２０６では送信完了の判断をＩＰコネクションの切断により判断したが、ＩＰコネクションを切断せずに、ＨＴＴＰプロトコル等の他の通信プロトコルを使用してローカルレコーダ１００から送信完了のメッセージを受け取ることにより送信完了の判断をしても良い。さらに、ステップＳ２０７では電源をＯＦＦにせずにその後も継続して電源をＯＮの状態にしても良い。
【００８７】
リモートレコーダ１１０は、複数のローカルレコーダ１００へ同時に映像信号を送信しても良い。この場合、リモートレコーダ１１０は、すべてのローカルレコーダ１００への送信完了を判断して、電源をＯＦＦにする。
【００８８】
＝＝システム構成図＝＝
ローカルレコーダ１００及び、リモートレコーダ１１０の構成の一具体例を図５に示す。同図では、リモートレコーダ１１０として説明するが、ローカルレコーダ１００も同一の構成となる。同図において、リモートレコーダ１１０は、処理部であるＣＰＵ５１０と、記憶部であるメモリ５２０とＨＤＤ５３０と、送受信部であるＮＩＣ１０１とチューナ１０２と映像出力部１０７と電源制御部１０８とこれらを接続する内部バス５４０で構成される。図１に示した転送制御部１０３と録画制御部１０４と再生制御部１０６は、先に説明した通り、処理部であるＣＰＵ５１０で動作するプログラムとして実現することが出来る。
【００８９】
＝＝通信の詳細化＝＝
図４(a)に示すように、ステップＳ１０１とステップＳ２０３で使用するリモート追いかけ再生要求４０１はチャンネル番号４１１と時刻４１２を含む。図３のステップＳ１０１ではローカルレコーダ１００は、リモート追いかけ再生を行うチャンネル番号４１１と時刻４１２を指定して、リモート追いかけ再生要求４０１をリモートレコーダ１１０に送信する。ステップＳ２０３ではリモートレコーダ１１０はローカルレコーダ１００からリモート追いかけ再生要求４０１を受信し、リモート追いかけ再生要求４０１が含むチャンネル番号４１１と時刻４１２によりローカルレコーダ１００へ送信する映像信号１５０を決定する。
【００９０】
ステップＳ１０３とステップＳ２０５では、図４(b)、(c)に示す映像信号送信要求４０２と映像信号送信応答４０３を使用する。ステップＳ１０３ではローカルレコーダ１００はリモートレコーダ１１０から映像信号１５０を受信するために、受信したい範囲の映像信号１５０の時刻４１２と期間４１３を含む映像信号送信要求４０２をリモートレコーダ１１０へ送信する。さらに、映像信号送信要求４０２の応答として映像信号送信応答４０３を受信し、リモートレコーダ１１０から受信したい範囲の映像信号１５０を受信する。ステップＳ２０５ではリモートレコーダ１１０はローカルレコーダ１００から映像信号送信要求４０２を受信し、映像信号送信要求４０２に含まれる時刻４１２と期間４１３によってローカルレコーダ１００へ送信する映像信号１５０を決定し、映像信号送信応答４０３に含めてローカルレコーダ１００へ送信する。映像信号送信応答４０３は時刻４１２と期間４１３を含む。
【００９１】
＝＝リモート追いかけ再生からローカル追いかけ再生へのつなぎ＝＝
ローカルレコーダ１００は現在時刻を知る為の時計を備えている。ローカルレコーダ１００はリモートレコーダ１１０から送信される映像信号送信応答４０３の時刻４１２が現在時刻に達したら、ステップＳ１０３とステップＳ１０４とステップＳ１０５からなるリモート追いかけ再生映像信号表示を止め、ステップ１０６とステップ１０７からなるローカル追いかけ再生映像表示を行なう。
【００９２】
＝＝リモートレコーダの停止＝＝
リモートレコーダ１１０は、ローカルレコーダ１００への映像信号１５０の送信を終了すると電源をＯＦＦにすることができる。この映像信号１５０の送信終了は、ローカルレコーダ１００との通信コネクションの切断、あるいはローカルレコーダ１００からの送信終了要求により検知することができる。
【００９３】
＝＝リモートレコーダへの複数ローカルレコーダの接続＝＝
リモートレコーダ１１０は複数のローカルレコーダ１００と接続し、映像信号１５０を送信することが出来る。リモートレコーダ１１０は接続しているローカルレコーダを認識し、接続しているローカルレコーダ１００がなくなった場合、電源をＯＦＦにすることができる。
【００９４】
＝＝まとめ＝＝
以上詳述した本実施例により、ネットワークに接続したリモートレコーダから録画した映像信号を受信し、ローカルレコーダで追いかけ再生することができる。
【００９５】
さらに、ネットワーク接続したリモートレコーダで録画した映像信号を追いかけ再生しながら、ローカルレコーダで映像信号を録画し、ローカルレコーダで録画した映像信号の放送時刻までリモートレコーダで録画した映像信号を追いかけ再生したら、ローカルレコーダに録画した映像信号で追いかけ再生の続きを行い、リモートレコーダから映像信号の受信を停止することができる。
【００９６】
さらに、リモートレコーダから映像信号の受信を停止したら、リモートレコーダの電源をＯＦＦにすることができる。
【００９７】
なお、上述した実施例の説明では映像信号を例に説明したが、音声信号であっても同様に適用できる。ネットワークは具体的にはIEEE 802.3、IEEE 802.11、IEEE 802.15等で規定されるネットワークシステムを適用でき、他のネットワークシステムにも適用可能であることは言うまでもない。
【図面の簡単な説明】
【００９８】
【図１】第一の実施例の録画再生システムのシステム構成図。
【図２】第一の実施例のリモート追いかけ再生の処理フローを説明するためのタイムチャート図。
【図３】第一の実施例のリモート追いかけ再生の処理フローを説明するためのフローチャート図。
【図４】第一の実施例の通信で使用するデータ構造を示す図。
【図５】第一の実施例で使用するレコーダのシステム構成の一具体例を示す図。
【符号の説明】
【００９９】
１００…ローカルレコーダ、１０１…ＮＩＣ、１０２…チューナ、１０３…転送制御部、１０４…録画制御部、１０５…ストレージ、１０６…再生制御部、１０７…映像出力部、１０８…電源制御部、１１０…リモートレコーダ、１２０…アンテナ、１３０…表示装置、１４０…ネットワーク、１５０…映像信号、４０１…リモート追いかけ再生要求、４０２…映像信号送信要求、４０３…映像信号送信応答、４１１…チャンネル番号、４１２…時刻、４１３…期間、５１０…ＣＰＵ、５２０…メモリ、５３０…ＨＤＤ、５４０…内部バス。
【図１】
0005002354.tif 000002
【図２】
0005002354.tif 000003
【図３】
0005002354.tif 000004
【図４】
0005002354.tif 000005
【図５】
0005002354.tif 000006